(57)【要約】【課題】大画面中の小画面表示設定を簡易化するマルチディスプレイ用表示装置を提供する。【解決手段】  複数の画面を縦および／または横方向に並べてなる大画面の全体に表示すべき第１表示信号、前記大画面を構成する少なくとも一つの画面を小画面としてその小画面の全体に表示すべき第２表示信号をそれぞれ受信する表示信号入力部と、前記大画面を構成する一つの画面であって、第１表示信号または第２表示信号を選択的に表示する表示部と、前記表示部の表示を制御する表示制御部と、大画面中の前記表示部の画面単位の位置を保持する位置格納部と、大画面中の小画面の配置を画面単位の位置とサイズを示すデータとして受信する設定データ受信部とを備え、前記表示制御部は、保持された前記表示部の位置および受信した小画面の配置に基づいて前記表示部に第１、第２表示信号のうちいずれを表示させかつどの部分を表示させるかを決定することを特徴とするマルチディスプレイ用表示装置。【選択図】図１
2011248225.tif 000002
【特許請求の範囲】
【請求項１】
複数の画面が縦および／または横方向に隣接してなる大画面の全体に表示すべき第１表示信号、前記大画面を構成する一以上の画面を小画面としてその小画面の全体に大画面と別に表示すべき第２表示信号をそれぞれ受信する表示信号入力部と、
大画面を構成する前記画面の一つとして、第１表示信号または第２表示信号を選択的に表示する表示部と、
前記表示部の表示を制御する表示制御部と、
大画面内の前記表示部の位置を画面単位で格納する位置格納部と、
大画面内の小画面の位置およびサイズならびに前記位置格納部に格納すべき位置を画面単位で表す設定データを受信しあるいは前記設定データを設定するための指示を受信する設定データ受信部とを備え、
前記表示制御部は、前記位置格納部に保持された位置および前記設定データに基づいて前記表示部に第１または第２表示信号のいずれを表示させかつどの部分を表示させるかを決定することを特徴とするマルチディスプレイ用表示装置。
【請求項２】
前記表示部は、縦および横方向の端部に非表示領域としての額縁部を有し、隣接する画面と前記額縁部を介して接し、
前記表示制御部は、第１および第２表示信号の表示が複数の画面にまたがる部分については前記額縁部に相当する間隙を介して各画面に分割されるようにしかつ第１および第２表示信号の端部の表示が額縁部にかからないようにしつつ前記表示部に表示させる部分を決定する請求項１に記載の表示装置。
【請求項３】
前記設定データは、小画面を表示するか否かの設定を含み、
前記表示制御部は、小画面を表示するか否かの設定に応じて表示部に第１または第２表示信号のいずれを表示させるかを決定する請求項１または２に記載の表示装置。
【請求項４】
前記設定データ受信部が受信した設定データを外部へ送信する設定データ送信部をさらに備え、
前記設定データ受信部および前記設定データ送信部に相当する部分を有する他の表示装置とデイジーチェーン形式で接続可能である請求項１〜３のいずれか一つに記載の表示装置。
【請求項５】
前記表示制御部は、他の表示装置と接続された状態でデイジーチェーンの先頭にあるとき、オペレーターからの指示に応答して大画面内の小画面の位置とサイズを画面単位で設定するための設定メニューを前記表示部に表示させて設定を受け付け、かつ、受け付けた設定を前記設定データ送信部を介して他の表示装置へ送信するように制御する請求項４に記載の表示装置。
【発明の詳細な説明】
【技術分野】
【０００１】
この発明は、複数の表示装置を縦横に並べて一つの大画面とするために用いるマルチディスプレイ用表示装置に関する。
【背景技術】
【０００２】
現在、大画面表示装置として、複数の表示装置を縦および／または横方向に並べて配置し、一つの大画面を構成するマルチディスプレイ型のものが広く普及している。マルチディスプレイは、大画面での迫力のある映像ゆえに遠くからでも人目を引きつける効果があるため、デパートやショップなどでのデジタルサイネージ（電子看板）等の用途に用いられている（例えば、非特許文献１参照）。
【０００３】
従来、このようなマルチディスプレイにおいては、大画面中に小画面を表示するピクチャー・イン・ピクチャー（ＰＩＰ：Picture in Picture）表示や、大画面を２つの小画面に分割表示するピクチャー・バイ・ピクチャー（ＰｂｙＰ：Picture by Picture）表示など、用途に応じた多様な表示方式が提案されている（例えば、特許文献１ないし３参照）。このような多様な表示方式を活用することにより、複数コンテンツの同時提示や状況にあわせたタイムリーなコンテンツの提示など、効果的な広告効果が期待できる。
【０００４】
一方、最近表示装置が安価に購入できるようになり、複数の表示装置を縦横に自由に組み合わせることによって、用途にあわせた独自のマルチディスプレイ環境を構築することが可能になった。また、表示装置の表示部周辺に存在する額縁部を狭幅化した表示装置が開発されるようになった（例えば、非特許文献２および３参照）。
【先行技術文献】
【特許文献】
【０００５】
【特許文献１】特開平２-８２７６９号公報
【特許文献２】特開２０００-３３０５３４号公報
【特許文献３】特開平９-２０４１６４号公報
【非特許文献】
【０００６】
【非特許文献１】" インフォメーションディスプレイ４機種を発売 | ニュースリリース：シャープ: [online]、[平成22年4月1日検索]、インターネット〈http://www.sharp.co.jp/corporate/news/091127-a.html〉
【非特許文献２】"MultiSync LCD-X461UN：ディスプレイ | NECディスプレイソリューションズ"、[online]、[平成22年4月1日検索]、インターネット〈http://www.nec-display.com/jp/display/digitalsignage/lcd-x461un/index.html〉
【非特許文献３】" MultiSync LCD-P461：ディスプレイ | NECディスプレイソリューションズ"、[online]、[平成22年4月1日検索]、インターネット〈http://www.nec-display.com/jp/display/digitalsignage/lcd-p461/index.html〉
【発明の概要】
【発明が解決しようとする課題】
【０００７】
このような状況の下、画面単位でのメリハリのある表示効果を生かし、画面を構成単位とした小画面表示による新たなピクチャー・イン・ピクチャー表示の需要が高まりつつある。
しかしながら、このような需要の高まりにも関わらず、従来のマルチディスプレイ環境下の小画面表示においては、大画面を構成する全ての表示装置に対して個別に小画面表示用の設定をしなければならず、大きな障害となっていた。また、小画面表示の設定変更のたびに、設定者自身が個々の表示装置に対して設定を行わなければならないため、手軽に小画面設定ができない問題もあった。特に、大画面を構成する表示装置の数が多い場合に、小画面の設定が大きな負担になっていた。
【０００８】
ところで、上記のような問題の解決策の一つとして、大画面全体に共通の座標系を設定する表示システムが提案されている（例えば、特許文献２参照）。前記システムは、大画面を構成する全ての表示装置に共通の座標系を導入することに特徴がある。共通の座標系上で小画面設定をするだけで、各表示装置がその設定に基づいて独自に小画面表示の処理を行うため、表示装置ごとの個別設定が不要となる。しかしその反面、画素ピッチを単位として小画面を指定しているため、画素単位の細かい座標設定を要し、設定者の負担になってしまう。
【０００９】
この発明は、以上のような事情を考慮してなされたものであって、小画面の切り換えや設定変更のたびに各表示装置についての設定作業を要さず、設定者の設定負担および転送ネットワークの負荷を軽減するマルチディスプレイ用表示装置の提供を目的とするものである。
【課題を解決するための手段】
【００１０】
この発明は、複数の画面が縦および／または横方向に隣接してなる大画面の全体に表示すべき第１表示信号、前記大画面を構成する一以上の画面を小画面としてその小画面の全体に大画面と別に表示すべき第２表示信号をそれぞれ受信する表示信号入力部と、大画面を構成する前記画面の一つとして、第１表示信号または第２表示信号を選択的に表示する表示部と、前記表示部の表示を制御する表示制御部と、大画面内の前記表示部の位置を画面単位で格納する位置格納部と、大画面内の小画面の位置およびサイズならびに前記位置格納部に格納すべき位置を画面単位で表す設定データを受信しあるいは前記設定データを設定するための指示を受信する設定データ受信部とを備え、前記表示制御部は、前記位置格納部に保持された位置および前記設定データに基づいて前記表示部に第１または第２表示信号のいずれを表示させかつどの部分を表示させるかを決定することを特徴とするマルチディスプレイ用表示装置を提供するものである。
【発明の効果】
【００１１】
この発明の表示装置において、前記位置格納部に保持された位置および前記設定データに基づいて前記表示部に第１または第２表示信号のいずれを表示させかつどの部分を表示させるかを決定するので、大画面内の一つの画面を構成する表示装置が、表示部に表示すべき内容を自律的に決定することができる。従って、この発明の表示装置を縦および／または横方向に並べて大画面を構成する場合、各表示装置の大画面内の位置を画面単位で設定するだけで各画面に表示すべき内容が自律的に決定され、設定作業が簡便である。ピクチャー・イン・ピクチャーなどの小画面表示についても、前記設定データによって大画面内の小画面の位置とサイズが画面単位で設定されるので、前記表示部に大画面と小画面のいずれを表示すべきか、また、どの部分を表示すべきかが自律的に決定される。また、各表示装置の位置は画面単位で設定すればよいので設定が簡易である。
【００１２】
ここで、大画面は、複数の表示装置を縦横に並べた全体を一つの画面と見做したときの表現であり、小画面は大画面を構成する一以上の画面を一つの画面と見做したときの表現である。小画面は大画面を構成する一以上の表示装置に大画面と独立した内容を表示するものである。よって、小画面が表示されているときは、小画面と重複する位置に大画面の内容は表示されない。
【００１３】
この発明において、大画面の全体に表示すべきデータは第１表示信号、小画面の全体に表示すべきデータは第２表示信号として提供される。大画面、小画面はそれを構成する表示装置を単位として設定がなされる。
この発明の対象は、大画面あるいは小画面を構成する単位としての一つの表示装置である。前記表示装置は表示制御部と表示部を含み、前記表示制御部は前記表示部に何を表示させるべきかを決定する。
【００１４】
表示信号入力部は、大画面または小画面表示用の表示信号を受信する回路である。後述する実施形態で、表示信号入力部は、映像入力端子および映像信号処理部に相当する。
設定データ受信部は、外部から設定データを受信しあるいは前記設定データを設定するための指示を受信する回路である。後述する実施形態で、設定データ受信部はＩＲ信号受信部およびシリアル信号通信部のうち受信機能を担う部分に相当する。また、設定データ送信部はシリアル信号通信部のうち送信機能を担う部分に相当する。
【００１５】
表示制御部は、装置各部の動作を制御し、大画面を構成する表示部の各画面が小画面を構成するか否かを判断し、表示部に判断結果を表示させる機能を実現する。前記表示制御部は、コンピュータおよび前記コンピュータが実行すべきプログラムを格納する不揮発性記憶装置やメモリーを主体として構成される。後述する実施形態で、前記コンピュータは中央演算部に、前記不揮発性記憶装置は外部記憶手段の一部領域に、前記メモリーは内部記憶手段にそれぞれ相当する。それらに加えて前記表示制御部は、映像信号処理部、スケーリング処理部、内部パターン制御部、表示処理部を含んでなる。
【００１６】
位置格納部は、大画面中の画面単位の位置を保持する。後述する実施形態で、位置格納部は外部記憶手段の所定の領域に相当する。
表示部は、液晶表示装置等、電子的なデータを表示しうるものである。後述する実施形態で、表示部は表示用デバイスに相当する。
【図面の簡単な説明】
【００１７】
【図１】この発明のマルチディスプレイ用表示装置のブロック図を示す。
【図２】この発明の実施形態に係る設置設定の一例を示す説明図である。
【図３】この発明の実施形態に係る小画面設定の一例を示す説明図である。
【図４】この発明の実施形態に係るデイジーチェーン接続でつながれたマルチディスプレイの構成例を示す説明図である。
【図５】この発明の実施形態に係るＰＩＰエンラージ設定の一例を示す説明図である。
【図６】この発明の実施形態に係るＰＩＰエンラージ設定の通信手順の一例を示すフローチャートである。
【図７】この発明の実施形態に係る各表示装置におけるＰＩＰエンラージ設定手順の一例を示すフローチャートである。
【図８】この発明の実施形態に係るＰＩＰエンラージ設定変更時の処理の一例を示すフローチャートである。
【図９】この発明の実施形態に係るＰＩＰエンラージ設定の一例を示す説明図である。
【図１０】この発明の実施形態に係る画面表示設定の一例を示す説明図である。
【図１１】この発明の実施形態に係る大画面設定の一例を示す説明図である。
【図１２】この発明の実施形態に係る小画面設定の一例を示す説明図である。
【図１３】この発明の実施形態に係る額縁補正がある場合の処理の一例を示す説明図である。
【図１４】入力信号の処理の一例を示す説明図である。
【図１５】出力信号の処理の一例を示す説明図である。
【図１６】額縁補正がある場合のＰＩＰエンラージ処理手順の一例を示すフローチャートである。
【発明を実施するための形態】
【００１８】
以下、この発明の好ましい態様について説明する。
この発明による表示装置において、前記表示部は、縦および横方向の端部に非表示領域としての額縁部を有し、隣接する画面と前記額縁部を介して接し、前記表示制御部は、第１および第２表示信号の表示が複数の画面にまたがる部分については前記額縁部に相当する間隙を介して各画面に分割されるようにしかつ第１および第２表示信号の端部の表示が額縁部にかからないようにしつつ前記表示部に表示させる部分を決定してもよい。
【００１９】
このようにすれば、大画面および小画面の表示が複数の画面にまたがる部分に額縁部による表示のズレを生じさせることがなく、その一方で大画面および小画面の端部の表示が欠けることがないように前記表示部の表示が自律的に制御される。つまり、前記位置格納部に保持された位置と設定データに基づいて、いわゆる額縁補正が自律的になされる。
【００２０】
また、前記設定データは、小画面を表示するか否かの設定を含み、前記表示制御部は、小画面を表示するか否かの設定に応じて表示部に第１または第２表示信号のいずれを表示させるかを決定してもよい。このようにすれば、小画面を表示するか否かの切り換えが容易になり、タイムリーなコンテンツ表示が実現できる。
【００２１】
さらに、第１および第２表示信号がどこから入力されるかの指定を設定データに含めておけば、表示制御部が大画面と小画面のいずれを表示部に表示すべきかを決定したときに決定に応じた入力を選択し表示部に表示させることができる。また、小画面と大画面の表示内容を相互に切り換えることも容易であり、簡易な設定で多様な大画面および小画面の表示が可能になる。
【００２２】
さらにまた、前記設定データ受信部が受信した設定データを外部へ送信する設定データ送信部をさらに備え、前記設定データ受信部および前記設定データ送信部に相当する部分を有する他の表示装置とデイジーチェーン形式で接続可能であってもよい。このようにすれば、大画面を構成する複数の表示装置をデイジーチェーン形式で接続し、先頭の表示装置を代表として設定を受け付け、受け付けた設定を他の表示装置へ伝達することが可能になる。各表示装置に対して個別に設定を行う必要がなくなり、設定の作業が簡便になる。一つの表示装置に対して設定データを入力するのみで、他の表示装置に対して同様の設定がなされ、設定者の負担および転送ネットワークの負荷が軽減される。
【００２３】
前記表示制御部は、他の表示装置と接続された状態でデイジーチェーンの先頭にあるとき、オペレーターからの指示に応答して大画面内の小画面の位置とサイズを画面単位で設定するための設定メニューを前記表示部に表示させて設定を受け付け、かつ、受け付けた設定を前記設定データ送信部を介して他の表示装置へ送信するように制御してもよい。このようにすれば、先頭の表示装置が受け付けた設定を他の表示装置へ伝達し、各表示装置に対する設定を一括して行うことが可能になる。各表示装置に対して個別に設定を行う必要がなくなり、設定の作業が簡便になる。
【００２４】
ここで示した種々の好ましい態様は、それら複数を組み合わせることもできる。
以下、図面を用いてこの発明をさらに詳述する。なお、以下の説明は、すべての点で例示であって、この発明を限定するものと解されるべきではない。
【００２５】
≪マルチディスプレイ環境下における小画面表示装置の構成例≫
図１は、この発明の表示装置の電気的な構成の一例を示すブロック図である。図１に示すように、表示装置９は、映像入力端子１０、映像信号処理部２０、映像信号出力処理部３０、スケーリング処理部４０、内部パターン制御部５０を含む。さらに、シリアル通信処理部６０、中央演算部７０、ＩＲ信号処理部８０、内部記憶手段９０、外部記憶手段１００、一時記憶手段１１０および表示用デバイス１３０を含む。
【００２６】
図１で、映像入力端子１０は、映像信号（表示信号）を入力する端子である。入力する信号としては、１線式のＹ／Ｃ信号、２線式のＹ／Ｃ信号、３線式のＹＵＶ信号、３線式のＲＧＢ信号のいずれかであってもよい。また、ＲＧＢ３線式信号に同期信号１線を加えた信号、ＲＧＢ３線式信号に同期信号２線を加えた信号であってもよい。あるいはまた、ＹＵＶ３線式信号に同期信号１線を加えた信号、ＹＵＶ３線式信号に同期信号２線を加えた信号であってもよい。また、ＲＧＢ３線式信号に同期信号１線を加えた信号をエンコードした信号（ＴＭＤＳなど）、ＲＧＢ３線式信号に同期信号２線を加えた信号をエンコードした信号であってもよい。さらに、ＹＵＶ３線式信号に同期信号１線を加えた信号をエンコードした信号、ＹＵＶ３線式信号に同期信号２線を加えた信号をエンコードした信号であってもよい。あるいは、これらのうち複数、または、同種を複数であってもよい。
【００２７】
なお、図１において、映像入力端子１０は複数の入力端子を有するものとしている。通常、それらのうち一つには大画面用映像信号が提供され、他の一つには小画面用映像信号が入力される。ただし、各入力端子への信号の割当ては固定的なものでなくてもよい。さらに、同一の入力端子が大画面用映像信号および小画面用映像信号の入力端子として選択されることがあってもよい。その場合は大画面と小画面に同じ内容が表示される。また、表示装置９を他の表示装置とデイジーチェーン接続するために、入力された映像信号をそのまま出力する出力端子を有していてもよい（図１には図示せず）。また、映像入力端子１０は、電気信号の入力に限定されず、光信号を伝送する光ファイバが接続される入力端子であってもよい。
【００２８】
前述のように、この発明で映像入力端子１０は複数の入力端子を有する。映像信号処理部２０は、表示用デバイス１３０に表示させるべき映像信号の供給源として複数の入力端子のうちいずれか一つを選択する機能を持つ。選択は、表示用デバイス１３０に大画面を表示させるべきか小画面を表示させるべきかの決定に基づく。そして、選択された入力端子からの映像信号をＲＧＢ信号もしくはＹＵＶ信号と水平同期信号、垂直同期信号に分離する。なお、大画面用の映像信号と小画面の映像信号が同一であってもよい。
【００２９】
映像信号出力処理部３０は、映像信号処理部で処理された信号に対して、時間的・空間的にフィルタリング等を行うことで映像に変更を加える部分である。
スケーリング処理部４０は、映像信号出力処理部３０により処理が加えられた映像信号を任意の拡大率を以って拡大・縮小する部分である。拡大率は画面単位を基本として決定されるが、いわゆる額縁補正を行うので、額縁部の幅が考慮される。なお、スケーリング処理の過程でフィルタリング処理を行って映像信号の加工を行ってもよい。
【００３０】
内部パターン制御部５０は、映像入力端子１０からの映像信号によらずに所定の映像および同期信号を生成する機能およびこれを制御する機能を有する。例えば、特定パターンの表示やメニュー表示、情報表示などが、内部パターンの例としてあげられる。設定用メニューの表示画面は、この内部パターン制御部によって制御される。
【００３１】
シリアル通信処理部６０は、外部に接続されたシリアル通信路からシリアル通信信号を受信し、受信したシリアル通信信号のデコードを行ってバイナリデータもしくは文字データ等に変換する部分を含む。さらに、中央演算部７０が生成した文字データもしくはバイナリデータをエンコードして外部に接続されたシリアル通信路へ送信する部分を含む。なお、図１の構成例においては、シリアル通信路は送信および受信の計２系統あって、表示装置９を他の表示装置とデイジーチェーン接続できるようになっている。
【００３２】
中央演算部７０は、ＣＰＵあるいはマイクロプロセッサ(Microprocessor)を主体とする回路である。なお、周辺回路として、特定の用途のために設計、製造される集積回路であるＡＳＩＣ（Application Specific Integrated Circuit）、その他の演算機能を有する回路を含んでいてもよい。
【００３３】
ＩＲ信号処理部８０は、ＩＲ信号送信装置１４０、即ち、リモートコントローラより受信した設定データのＩＲ信号をデコードする。デコードされた設定データの内容は、大画面内の小画面の位置とサイズを画面単位で設定するためのデータを含む。前記データは、ＩＲ信号送信装置１４０側で行われた設定の結果を与えるものであってもよい。あるいは、内部パターン制御部５０に設定用のメニューを生成させ、表示用デバイス１３０に表示させる指示を与えるものであってもよい。さらに、当該メニューに対する指示、例えば、設定項目の選択や設定値の増減などの指示を与えるものであってもよい。
【００３４】
内部記憶手段９０は、中央演算部７０がアクセス可能であって、一時的にデータを記憶しておくワークメモリを提供するＲＡＭである。なお、ＤＭＡ（Direct Memory Access）転送により、例えば、シリアル通信処理部との間で中央演算部７０を介さずにデータを読み書きする機能を有していてもよい。
【００３５】
外部記憶手段１００は、中央演算部７０がアクセス可能な不揮発記憶装置である。なお、データを格納する領域がハードディスクドライブで、プログラムを格納する領域がフラッシュメモリーで構成するといったようにプログラムとデータが異なる装置に格納されてもよい。
【００３６】
表示用・表示処理用の一時記憶手段１１０は、中央演算部７０、映像信号処理部２０、映像信号出力処理部３０、スケーリング処理部４０および内部パターン制御部５０が表示用データの変換処理および加工処理を行うため、表示データを一時的に格納するメモリーである。また、表示用デバイス１３０に最終的に表示されるデータを格納するメモリー、いわゆるビデオＲＡＭも一時記憶手段１１０に含まれる。
【００３７】
表示処理部１２０は、前記ビデオＲＡＭに格納された表示データを表示用デバイス１３０が受信可能な形式の信号に変換して出力する部分である。
【００３８】
表示用デバイス１３０は、この実施形態では液晶表示装置であって、前記表示データに応じた表示を行うことができる表示用デバイスである。液晶表示装置の他に、ＣＲＴ、ＬＥＤ、プラズマ、ＥＬ等の表示装置も適用可能である。なお、表示処理部１２０からの入力信号の形式は、ＬＶＤＳ（Low Voltage Differential Signaling）あるいはＴＴＬレベル（Transistor Transistor Logic）等のいずれであってもよい。
【００３９】
ＩＲ信号送信装置１４０は、ＩＲ信号処理部８０へ赤外線の光信号を送信する装置である。光信号の内容は、大画面内の小画面の位置とサイズを画面単位で設定するための設定データである。さらに、大画面内の表示装置９の位置を画面単位で指定するためのデータを送信してもよい。なお、表示用デバイス１３０に設定メニューを表示させて設定を行う態様においては、例えば、メニュー表示のオンおよびオフ、メニュー画面におけるカーソルの上、下、左、右方向への移動を指示する信号、設定値の入力や増減を指示する信号などを送信する。なお、タッチパネル等における指のドラッグなどによるアイコンの移動を指示する信号であってもよい。
【００４０】
設定データについてさらに詳しく説明する。図１に示すように、設定データは、少なくとも次のデータを含む。まず、外部記憶手段１００に格納される固定データ１０１と変更可能データ１０２がある。さらに、後述するエンラージ表示処理時に一時的に使用されるデータであって、内部記憶手段９０に格納される一時使用データ９１がある。
【００４１】
ここで、エンラージ表示処理について説明する。映像入力端子１０には、一つの画面に表示するための映像信号が入力される。その映像信号を複数の画面から構成される「大画面」の全体または「小画面」の全体に表示することを「エンラージ表示」と呼ぶ。エンラージ表示を行うための処理をエンラージ表示処理と呼ぶ。
さらに、大画面用の映像信号（第１表示信号）を大画面の全体に表示しつつ、一部の画面からなる小画面の全体に小画面用の映像信号（第２表示信号）を表示させるための小画面に係る設定を「ＰＩＰエンラージ設定」と呼ぶ。
【００４２】
設定データの説明に戻る。外部記憶手段１００に配置されている固定データ１０１には、出力画面設定（ＰａｎｅＳ）として、出力する表示装置の解像度を表す水平解像度（ＰａｎｅＳＨ）と垂直解像度（ＰａｎｅＳＶ）、額縁幅を表す額縁幅横（ＰａｎｅＳＢｚＨ）と額縁幅縦（ＰａｎｅＳＢｚＶ）が設定される。これらのデータは、表示装置９のハードウェアによって決まり、後から変更する必要がない。固定データと呼ばれる所以である。
【００４３】
外部記憶手段１００に配置されている変更可能データ１０２には、大別して本体設定（ＤｐＳ）、エンラージ設定（ＥｎＳ）およびＰＩＰエンラージ設定（ＰＥＳ）がある。
それらのうち、本体設定（ＤｐＳ）としては、大画面用の映像信号の入力端子を表す主入力（Ｍｉｎｐｕｔ）がある。
エンラージ設定（ＥｎＳ）としては、大画面の横方向の台数を表す横設置台数（ＥｎＳＨ）、縦方向の設置台数を表す縦設置台数（ＥｎＳＶ）がある。また、大画面内の表示装置９の横方向の設置位置（ＥｎＳＨＰｏｓ）、縦設置位置（ＥｎＳＶＰｏｓ）がある。横設置位置（ＥｎＳＨＰｏｓ）は、最小値が１であり、最大値が横設置台数（ＥｎＳＨ）である自然数をとる。縦設置位置（ＥｎＳＶＰｏｓ）は、最小値が１であり、最大値が縦設置台数（ＥｎＳＶ）に等しい自然数をとる。
【００４４】
エンラージ設定（ＥｎＳ）のうち、横設置台数（ＥｎＳＨ）および縦設置台数（ＥｎＳＶ）は、大画面を構成する各表示装置に共通の値である。一方、横方向の設置位置（ＥｎＳＨＰｏｓ）および縦設置位置（ＥｎＳＶＰｏｓ）は、大画面を構成する各表示装置で異なる組み合わせになり、同じ組み合わせはあり得ない。各表示装置の位置を表すからである。よって、横方向の設置位置（ＥｎＳＨＰｏｓ）および縦設置位置（ＥｎＳＶＰｏｓ）については大画面を構成する各表示装置について個別に設定する必要がある。
【００４５】
ＰＩＰエンラージ設定（ＰＥＳ）としては、次のものがある。エンラージ表示の有効・無効設定を表すＭＯＤＥ（ＥｎｌＥｎａｂｌｅ）、小画面用の映像信号の入力端子を表す小画面入力（Ｐｉｐｉｎｐｕｔ）である。さらに、小画面を構成する横方向の表示装置台数を表す横幅（ＰｉｐＨＬｅｎ）、小画面を構成する縦方向の表示装置台数を表す縦幅（ＰｉｐＶＬｅｎ）がある。さらにまた、小画面の左上隅の横位置（ＰｉｐＨＰｏｓ）、小画面の左上隅の縦位置（ＰｉｐＶＰｏｓ）がある。
【００４６】
なお、小画面の右端が大画面の右端からはみ出さない条件は、小画面の左上隅の横位置（ＰｉｐＨＰｏｓ）と小画面の横幅（ＰｉｐＨＬｅｎ）の和が、大画面の横設置台数（ＥｎＳＨ）以下であり、以下の（１）式で表される。
【００４７】
ＰｉｐＨＬｅｎ＋ＰｉｐＨＰｏｓ≦ＥｎＳＨ   （１）
また、小画面の下端が大画面の下端からはみ出さない条件は、小画面の左上隅の縦位置（ＰｉｐＶＰｏｓ）と小画面の縦幅（ＰｉｐＶＬｅｎ）との和が、大画面の縦設置台数（ＥｎＳＶ）以下であり、以下の（２）式で表される。
ＰｉｐＶＬｅｎ＋ＰｉｐＶＰｏｓ≦ＥｎＳＶ   （２）
【００４８】
内部記憶手段９０に格納される一時使用データ９１は、エンラージ処理に使用されるエンラージ設定（ＥｎＳＴ）として、横設置台数（ＥｎＳＨＴ）、縦設置台数（ＥｎＳＶＴ）、横位置（ＥｎＳＨＰｏｓＴ）、縦位置（ＥｎＳＶＰｏｓＴ）がある。
【００４９】
≪設置設定の具体例≫
最初に、大画面を構成する各表示装置の初期設定について説明する。
設定者は、まず任意の複数の表示装置を縦横に並べて１つの正方形状または長方形状の大画面を構成する。次に大画面の構成要素である各表示装置が大画面中のどの位置を占めるのかを明確にするため、大画面の所定の位置を基準にして、各表示装置の相対的な位置を画面単位にて設定する。例えば、大画面の左上隅を基準位置にとった場合、そこから縦横方向に画面単位に表示装置の位置を設定する。このとき、大画面の最も左上隅部分を占める表示装置は、基準位置から（横１台目、縦１台目）に位置し、その右隣の表示装置は、基準位置から（横２台目、縦１台目）に位置する。同様に、その右隣の表示装置は、基準位置から（横３台目、縦１台目）に位置する、というように各表示装置の位置は全て画面単位で設定できる。このような初期設定により、大画面を構成する各表示装置が大画面のどの部分を占めるのかが明確に定められる。
【００５０】
設定者は、大画面を構成する各表示装置について初期設定を行い、その縦横の位置を、横方向の設置位置（ＥｎＳＨＰｏｓ）および縦設置位置（ＥｎＳＶＰｏｓ）として、各表示装置の外部記憶手段１００のエンラージ設定（ＥｎＳ）に記憶させる。以下、この発明のマルチディスプレイ環境下における小画面表示設定において、設置設定の態様について説明する。
【００５１】
図２は、ＩＲ信号送信装置１４０として、赤外線リモートコントローラを用い、表示用デバイス１３０に設定メニューを表示させて設定を行う様子を示している。設定用のメニューは、内部パターン制御部５０により生成される。大画面は複数の表示装置を並べて構成され、各表示装置は図１に示す表示装置９の構成を有する。図２は、大画面を構成する各表示装置のうち、第１の表示装置（以下、ＤＰ１と呼ぶ）の表示用デバイス１３０に設定メニューが表示された様子を示している。図２（Ａ）は設定メニューの一例として入力設定の画面を示している。
【００５２】
設定者は、表示装置ＤＰ１に対して、ＩＲ信号送信装置１４０を使用して入力設定用メニューを表示させ、入力端子として「Ｉｎｐｕｔ１」を選択する。「Ｉｎｐｕｔ１」は、図１の映像入力端子１０が有する複数の入力端子の一つである。表示装置ＤＰ１は、選択の指示を受け付けて、入力端子「Ｉｎｐｕｔ１」を示すデータを本体設定（ＤｐＳ）の主入力（Ｍｉｎｐｕｔ）に保存する。
【００５３】
図２（Ｂ）は、設定メニューの異なる一例として、エンラージ設定の画面を示している。設定者は、ＩＲ信号送信装置１４０を使用して、エンラージ設定用メニューを表示させる。大画面が縦横４台ずつからなる表示装置から構成される場合、設定者は、大画面を構成する表示装置の横設置台数を４、縦設置台数を４に設定する。次に、大画面の左上隅を基準位置にとり、表示装置ＤＰ１が大画面の最も左上隅部分を占める場合、設定者は、当該ＤＰ１の横位置を１、縦位置を１と設定する。基準位置から横に１台目、縦に１台目という意味である。このとき、表示装置ＤＰ１はそれぞれの設定値をエンラージ設定Ｅｎｓの横設置台数（ＥｎＳＨ）、縦設置台数（ＥｎＳＶ）、横位置（ＥｎＳＨＰｏｓ）、縦位置（ＥｎＳＶＰｏｓ）に保存する。
【００５４】
２台目の表示装置（ＤＰ２と呼ぶ）に対しても、同じＩＲ信号送信装置１４０を使用して、入力設定用メニューを表示させる。ＤＰ２が４×４の大画面の左上隅の基準位置から、横に２台目、縦に１台目に位置する場合、横設置台数を４、縦設置台数を４、横位置を２、縦位置を１と設定する。
【００５５】
４×４の大画面を構成する１６台の表示装置（ＤＰ１からＤＰ１６）に対して、同様の設定を行う。図３は、１６台の各表示装置（ＤＰ１からＤＰ１６）について、エンラージ設定を行ったときの各表示装置の設定データＥｎＳの値を示す説明図である。図３に示すように、各表示装置はいずれも４×４の大画面の構成要素となるため、横設置台数（ＥｎＳＨ）の設定値は共通である。すなわち、いずれの表示装置（ＤＰ１からＤＰ１６）についても４であり、縦設置台数（ＥｎＳＶ）の設定値はいずれの表示装置（ＤＰ１からＤＰ１６）についても４である。
【００５６】
一方、横位置（ＥｎＳＨＰｏｓ）の設定値は、最左端の縦方向に並ぶ表示装置ＤＰ１、ＤＰ５、ＤＰ９およびＤＰ１３についていずれも１である。また、その右隣の縦方向に並ぶＤＰ２、ＤＰ６、ＤＰ１０およびＤＰ１４についていずれも２である。さらに、その右隣のＤＰ３、ＤＰ７、ＤＰ１１およびＤＰ１５についていずれも３である。また、最右端のＤＰ４、ＤＰ８、ＤＰ１２およびＤＰ１６についていずれも４である。
【００５７】
縦位置（ＥｎＳＶＰｏｓ）の設定値は、最上段の横方向に並ぶＤＰ１〜ＤＰ４についていずれも１、その下段のＤＰ５〜ＤＰ８についていずれも２、その下段のＤＰ９〜ＤＰ１２についていずれも３、最下段のＤＰ１３〜ＤＰ１６についていずれも４である。
横位置（ＥｎＳＨＰｏｓ）と縦位置（ＥｎＳＶＰｏｓ）は、各表示装置の縦横の位置を画面単位で表しており、各表示装置は大画面内の位置に応じた固有の位置を有する。これらの位置は、外部記憶手段１００のエンラージ設定（ＥｎＳ）に記憶され、後に述べる小画面表示の設定において参照される。
【００５８】
前述した実施の形態の他にも、種々の変形例がありうる。例えば、赤外線リモートコントローラの代わりにＢｌｕｅｔｏｏｔｈコントローラなどを用いてもよい。
図４は、図３のように設定された４×４台の表示装置ＤＰ１からＤＰ１６をシリアルケーブルでデイジーチェーン接続した構成例を示す図である。シリアルケーブルは、前段の表示装置のシリアル通信処理部６０（設定データ送信部に相当する送信部分）と後段の表示装置のシリアル通信処理部６０（設定データ受信部に相当する受信部分）とを接続するシリアル通信路を提供する。ここでは、４×４台の表示装置を縦横に配置する例を示している。しかし、縦横の配置はこの態様に限定されるものではなく、縦Ｎ台×横Ｍ台（Ｎ、Ｍは自然数）の任意の縦横配置が可能である。なお、図４では横方向に並ぶ表示装置の間に隙間があるが、これは、シリアルケーブルの接続状態を分かりやすくするためのものであり、実際には隙間を空ける必要がない。
【００５９】
図４のようなデイジーチェーン接続がなされた状態では、エンラージ設定（ＥｎＳ）の（ＥｎＳＨＰｏｓ）、縦位置（ＥｎＳＶＰｏｓ）以外の設定は、全表示装置で共通である。そのため、デイジーチェーン接続がなされた先頭の１台の設定データを後段の各表示装置へ伝達し後段の各表示装置の設定を一括して行うことも可能である。なお、シリアルケーブルとしては、ＲＳ−２３２やＤＶＩ（Digital Visual Interface）などの規格や、ＩＥＥＥ１３９４等のシリアルＳＣＳＩなどを使用してもよい。また、イーサネットなどを使用して、ブロードキャストすることで共通化を図ってもよい。
【００６０】
以上のように、設定者は各表示装置の大画面内の位置を画面単位で指定するため、設定作業が簡便になる。また、設定者は、後に述べるエンラージ処理によって、入力設定画面において、入力端子として「Ｉｎｐｕｔ１」と設定すれば、「Ｉｎｐｕｔ１」の映像が大画面全体にエンラージ表示され、また入力端子として「Ｉｎｐｕｔ２」と設定すれば、「Ｉｎｐｕｔ２」の映像が大画面全体にエンラージ表示される。なお、前記設定データは各表示装置の外部記憶手段１００のエンラージ設定（ＥｎＳ）に記憶され、後に述べるピクチャー・イン・ピクチャーなどの小画面表示設定についても前記設定データが参照されるため、小画面表示の設定のたびに再設定をする必要がなく、小画面表示の設定変更が極めて簡便になる。
【００６１】
≪小画面表示設定の具体例≫
図５および図６を用いて、この発明のマルチディスプレイ環境下における小画面表示設定の態様について説明する。本実施態様では、前実施態様において大画面全体に「Ｉｎｐｕｔ１」の映像がエンラージ表示された状態から、大画面中に小画面を表示させ、当該小画面全体に「Ｉｎｐｕｔ２」の映像をピクチャー・イン・ピクチャー（ＰＩＰ）表示する設定を行う。
【００６２】
図５は、デイジーチェーン接続がなされた状態でＩＲ信号送信装置１４０として赤外線リモートコントローラを用いてＰＩＰエンラージ設定を行う様子を示している。図５においては、デイジーチェーン接続の先頭にある表示装置ＤＰ１に対して設置を行う例を示す。
【００６３】
各表示装置は、デイジーチェーン接続がなされており、小画面表示の設定値は大画面を構成する各表示装置についていずれも共通の値をとる。本実施態様においては、デイジーチェーン接続の先頭にある表示装置ＤＰ１に対してのみ小画面設定を行い、残りの表示装置に対しては、シリアルケーブルを介して設定内容を順次伝達するため、設定者が表示装置ごとに個別に設定する手間が省け、簡便な設定が可能となる。なお、イーサネットなどを使用してブロードキャスト可能な接続態様であれば、ＤＰ１に限定されることはなく、どの表示装置に対してＩＲ信号送信装置１４０を使用してもよい。
【００６４】
図５の例では、ＰＩＰエンラージ表示の有効・無効設定を表すＭＯＤＥ（ＥｎｌＥｎａｂｌｅ）を「有効」にし、小画面用の映像信号の入力端子を表す小画面入力（Ｐｉｐｉｎｐｕｔ）を「Ｉｎｐｕｔ２」に設定している。
これらの設定を変えることにより、小画面表示をすべきか否か、小画面全体にエンラージ表示すべき映像のタイムリーな変更が可能となる。また、大画面全体にエンラージ表示すべき「Ｉｎｐｕｔ１」と小画面全体にエンラージ表示すべき「Ｉｎｐｕｔ２」は、同じ映像であってもよい。
なお、これらの設定方法は一例であって、上記方法の変形や組み合わせもこの発明に属する。
【００６５】
小画面のサイズ設定として、小画面を構成する横方向の台数を表す横幅（ＰｉｐＨＬｅｎ）を「２」、小画面を構成する縦方向の台数を表す縦幅（ＰｉｐＶＬｅｎ）を「２」とする。さらに、小画面の位置設定として、大画面の左上隅を基準（原点）にして、小画面の左上隅の位置を横方向および縦方向の台数により指定する。図５の例では、小画面の左上隅の横位置（ＰｉｐＨＰｏｓ）を「２」、小画面の左上隅の縦位置（ＰｉｐＶＰｏｓ）を「２」と設定している。なお、本実施形態では、大画面および小画面の左上隅を位置設定の基準位置にとったが、他の位置を基準位置に指定してもよい。上記設定は、図４において、縦横の幅が横に２台、縦に２台の全４台（ＤＰ６、ＤＰ７、ＤＰ１０、ＤＰ１１）から構成される小画面を指定するものである。
【００６６】
このように、画面単位で小画面を構成することにより、設定者は、小画面の横幅（ＰＩＰＨＬｅｎ）と縦幅（ＰＩＰＶＬｅｎ）、小画面の基準となる横位置（ＰＩＰＨＰｏｓ）と縦位置（ＰＩＰＶＰｏｓ）の４項目を設定するだけで小画面の指定ができ、簡便である。座標で小画面のサイズや位置を指定する場合、大画面に含まれるドットの数だけ小画面の組み合わせを考慮する必要があるため、設定が煩雑となるが、画面単位で小画面を構成する場合、設定が簡便でありメモリー容量も節約できる。
また、これらの設定を変えることにより、大画面中の小画面の位置やサイズのタイムリーな変更が可能となる。
【００６７】
≪設定通信の具体例≫
図６を用いて、前記小画面表示の設定内容のデイジーチェーンを介した通信の具体的態様について説明する。設定内容の順次伝達により、先頭の表示装置が受け付けた設定を他の表示装置へ伝達し、各表示装置に対する設定を一括して行うことが可能になる。その結果、各表示装置に対して個別に設定を行う必要がなくなり、設定の作業が簡便になる。
【００６８】
表示装置ＤＰ１に対してＰＩＰエンラージ設定のメニューを用いて設定が行われると、その設定内容はシリアルケーブルを介して表示装置ＤＰ１から後段の表示装置（ＤＰ２からＤＰ１６）へ順次伝達される。図６は、各表示装置（ＤＰ１からＤＰ１６）において、中央演算部７０がＰＩＰエンラージ設定を伝達する手順の一例を示すフローチャートである。図６（ａ）は、デイジーチェーン接続の先頭の表示装置ＤＰ１の中央演算部７０が行う設定処理を示すフローチャートである。ＤＰ１で設定処理された後、ＰＩＰエンラージ設定は、残りの表示装置（ＤＰ１からＤＰ１６）に順次伝達される。図６（ｂ）は、デイジーチェーンの後段の各表示装置ＤＰｎ（ｎは２〜１６の自然数）の中央演算部７０が行う設定処理を示すフローチャートである。
【００６９】
図６（ａ）のフローチャートに沿って、デイジーチェーン接続の先頭である表示装置ＤＰ１の中央演算部７０が行うＰＩＰエンラージ設定処理の手順を説明する。
図６（ａ）において、中央演算部７０は、設定者によるＰＩＰエンラージ設定が終了するのを待ち（ステップＳ１）。当該設定をＰＩＰエンラージ設定（ＰＥＳ）に格納する（ステップＳ２）。
【００７０】
次に、デイジーチェーン接続の後段の表示装置へ設定を通知するために、エンラージ設定コマンドＰＩＰＥ（ＰＥＳ）を作成し、シリアル通信処理部６０を通じて後段の表示装置へ送信する（ステップＳ３）。ここで、図６（ａ）のコマンドＰＩＰＥ（ＰＥＳ）は、ＰＩＰエンラージ設定を送信するためのコマンドである。ＰＥＳは、デイジーチェーン接続により順次伝達されるＰＩＰエンラージ設定のパラメータであり、小画面表示の設定データであるＥｎｌＥｎａｂｌｅ（ＭＯＤＥ）、ＰｉｐＨＬｅｎ（横幅）、ＰｉｐＶＬｅｎ（縦幅）、ＰｉｐＨＰｏｓ（横位置）、ＰｉｐＶＰｏｓ（縦位置）を表す。
【００７１】
続いて、デイジーチェーン接続によりつながれた後段の各表示装置ＤＰｎ（ｎは２〜１６の自然数）の中央演算部７０が行う処理の詳細な流れを説明する。表示装置ＤＰｎの中央演算部７０は、シリアル通信処理部６０がエンラージ設定コマンドを受信したか否かをポーリング等によりモニタする（ステップＳ１ｎ）。エンラージ設定コマンドを受信したら、受信したコマンドの内容を解析してし、ＰＩＰエンラージ設定（ＰＥＳ）を取得する。そして、設定をＰＩＰエンラージ設定（ＰＥＳ）に格納する（ステップＳ２ｎ）。また、受信したエンラージ設定コマンドＰＩＰＥ（ＰＥＳ）を後段の表示装置送信する（ステップＳ３ｎ）。各表示装置ＤＰｎは、デイジーチェーン接続された順にエンラージ設定コマンドを伝達する。図６の接続態様では、ＤＰ１からＤＰ２→ＤＰ３→ＤＰ４→ＤＰ８→ＤＰ７→ＤＰ６→ＤＰ５→ＤＰ９→ＤＰ１０→ＤＰ１１→ＤＰ１２→ＤＰ１６→ＤＰ１５→ＤＰ１４→ＤＰ１３と伝達される。
【００７２】
≪各表示装置におけるＰＩＰエンラージ設定の具体例≫
次に、各表示装置でのＰＩＰエンラージ設定の手順について説明する。ＤＰ２からＤＰ１６の各表示装置の中央演算部７０は、デイジーチェーン接続された前段の表示装置から受信したエンラージ設定コマンドＰＩＰＥ（ＰＥＳ）、即ち、設定者が入力した設定の内容に従い、小画面表示をすべきか否かの判断を行う。さらに、ＤＰ２からＤＰ１５の中央演算部７０は、デイジーチェーン接続を介して後段の表示装置へエンラージ設定コマンドＰＩＰＥ（ＰＥＳ）を順次伝達する。
【００７３】
図７は、表示装置におけるＰＩＰエンラージ設定の処理手順の一例を示すフローチャートである。図７（ａ）はデイジーチェーン接続された先頭の表示装置ＤＰ１の中央演算部７０が実行する処理順のフローチャートである。図７（ｂ）は後段の表示装置ＤＰ２〜ＤＰ１６の中央演算部７０が小画面の設定をする手順の例を示すフローチャートである。
【００７４】
まず、図７（ａ）のフローチャートに沿って、ＤＰ１の中央演算部７０が行う処理の詳細な流れを説明する。中央演算部７０は、ＩＲ信号処理部８０より受信したコードを取得する（ステップＳ４）。コードを受信したら（ステップＳ５）、中央演算部７０は、メニュー制御処理（ステップＳ６）を実行し、表示処理部１２０が表示用デバイス１３０に入力設定用メニューを表示させるように制御する。
【００７５】
ＩＲ信号処理部８０が受信した設定データの内容が、前記エンラージ設定用メニューに対する指示であって、ＰＩＰエンラージ設定が変更されたと判断した場合（ステップＳ７）、中央演算部７０は、シリアル通信処理部６０に対して、出力側にエンラージ設定コマンドＰＩＰＥ（ＰＥＳ）を送信する（ステップＳ８）。次に中央演算部７０は、ＰＩＰエンラージ設定の変更処理を行う（ステップＳ９）。ＰＩＰエンラージ設定の変更処理については、後述する図８にその詳細が示されている。ＰＩＰエンラージ設定の変更がされていない場合、ルーチンは前記ステップＳ４の処理へ戻る。
【００７６】
次に、図７（ｂ）のフローチャートに沿って、ＤＰ２〜ＤＰ１６の中央演算部７０が行う処理の詳細な流れを説明する。中央演算部７０は、シリアル通信処理部６０より、デイジーチェーン接続の前段側から受信したデータを取得する（ステップＳ１０）。データを受信したら（ステップＳ１１）、受信したデータがＰＩＰエンラージ設定の変更か否かを判定する（ステップＳ１２）。ＰＩＰエンラージ設定の変更であれば、ＰＩＰエンラージ設定コマンドＰＩＰＥ（ＰＥＳ）のパラメータを外部記憶手段１００の変更可能データ１０２のＰＩＰエンラージ設定ＰＥＳに格納する（ステップＳ１３）。そして、図８のＰＩＰエンラージ設定変更処理を行う（ステップＳ１４）。ＰＩＰエンラージ設定の変更がない場合は、ルーチンは前記ステップＳ１０の処理へ戻る。
【００７７】
このように、デイジーチェーン接続を介して後段の表示装置へ設定内容を順次伝達するため、設定者は各表示装置に対して、個別にエンラージ設定を行う必要がなく、簡便に小画面設定ができる。
【００７８】
≪各表示装置におけるＰＩＰエンラージ設定変更処理の具体例≫
次に、ＰＩＰエンラージ設定変更処理の詳細について説明する。ＰＩＰエンラージ設定変更処理は、図７（ａ）のステップＳ９および図７（ｂ）のステップＳ１４の処理である。
図８は、各表示装置（ＤＰ１からＤＰ１６）の中央演算部７０が実行するＰＩＰエンラージ設定変更処理の例を示すフローチャートである。
【００７９】
図８のフローチャートに沿って処理の流れを説明する。まず、中央演算部７０は、変更可能データ１０２に格納されたＰＩＰエンラージ設定（ＰＥＳ）のうちＭＯＤＥ（ＥｎｌＥｎａｂｌｅ）が有効（ＴＲＵＥ）な状態か否かを判定する（ステップＳ１５）。有効な場合、続いて、横設置位置（ＥｎＳＨＰｏｓ）が、小画面表示の横位置（ＰｉｐＨＰｏｓ）以上、かつ、小画面表示の横位置と横幅との和（ＰｉｐＨＰｏｓ＋ＰｉｐＨＬｅｎ）未満か否かを判定する（ステップＳ１６）。上の判定がＹＥＳの場合、さらに縦設置位置（ＥｎＳＶＰｏｓ）が、小画面表示の縦位置（ＰｉｐＶＰｏｓ）以上、かつ、小画面表示の縦位置と縦幅との和（ＰｉｐＶＰｏｓ＋ＰｉｐＶＬｅｎ）未満か否かを判定する（ステップＳ１７）。上の判定がＹＥＳの場合は、ＰＩＰエンラージ設定を行うため、ステップＳ１８へ進む。
【００８０】
上記ステップＳ１６およびＳ１７の判定は、設定者により設定された小画面表示が大画面の枠からはみ出すか否かを判定するものである。即ち、処理をしているディスプレイが小画面表示に属しているかどうかの判定をして、小画面表示に属している場合はPIPエンラージ設定処理をし、属していない場合は大画面用のエンラージ処理をするのである。
前記判定に従い、中央演算部７０が、小画面表示が大画面内におさまるものと判断した場合（判定がＹｅｓの場合）、ステップＳ１８へ進み、エンラージ設定変更を行う。ステップＳ１８の処理については後述する。一方、小画面表示が大画面の枠からはみ出すものと判断した場合（判定がＮｏの場合）、ルーチンはステップＳ２３へ進む。
【００８１】
ＭＯＤＥ（ＥｎｌＥｎａｂｌｅ）コマンドが有効（ＴＲＵＥ）でない場合（ステップＳ１５の判定がＮｏ）映像信号処理部２０に対して、主入力（Ｍｉｎｐｕｔ）で指定された入力端子の信号を取得するように設定する（ステップＳ２３）。小画面表示の設置位置がステップＳ１６またはＳ１７の条件を満たさない場合も、同様である。続いて、現在表示されているエンラージ設定（ＥｎＳ）の内容（新たに受信したエンラージ設定の内容ではない）をエンラージ設定（ＥｎｓＴ）にコピーする（ステップＳ２４）。
【００８２】
このようにして、中央演算部７０は、現在の表示設定をそのまま続行する。具体的には、大画面表示中に小画面表示をしない場合、現在の大画面表示設定をそのまま続行する。また、小画面表示中に設定変更を行う場合でも、新たな設定が、小画面表示が大画面の枠からはみ出るような設定である場合は、現在の小画面表示設定をそのまま続行する。
このような処理により、小画面表示設定の変更設定を設定者がその都度判断する必要がなく、簡便となる。
【００８３】
前述のステップＳ１８で、中央演算部７０は、映像信号処理部２０に対して、ＰｉｐＩｎｐｕｔで指定された入力端子の信号を取得するように制御する（ステップＳ１８）。この処理により、設定者は小画面に表示すべき入力映像の切り換えも簡便にできる。
【００８４】
次に中央演算部７０は、エンラージ設定（ＥｎＳＴ）の横設置台数（ＥｎＳＨＴ）に小画面表示の横幅（ＰｉｐＨＬｅｎ）を代入する（ステップＳ１９）。さらに、縦設置台数（ＥｎＳＶＴ）に縦幅（ＰｉｐＶＬｅｎ）を代入する（ステップＳ２０）。また、横位置（ＥｎＳＨＰｏｓＴ）に「ＥＮＳＨＰｏｓ−ＰｉｐＨＰｏｓ＋１」を代入する（ステップＳ２１）。さらに、縦位置（ＥｎＳＶＰｏｓＴ）に「ＥＮＳＶＰｏｓ−ＰｉｐＶＰｏｓ＋１」を代入する（ステップＳ２２）。
【００８５】
上記ステップＳ２１およびステップＳ２２の処理により、大画面表示の横位置（縦位置）は小画面表示の横位置（縦位置）へと変更される。このような処理により、大画面中の小画面を構成する表示装置の中央演算部７０は、大画面全体にエンラージ表示された映像から小画面全体にエンラージされた映像へとその表示を変更できる。大画面から小画面がはみ出さない限り、小画面の位置やサイズがどのようなものであったとしても、当該変更が可能であるため、小画面変更設定が簡便になる。
【００８６】
最後にエンラージ処理を行い（ステップＳ２５）、ＰＩＰエンラージ設定の変更処理を終了する。エンラージ処理後の具体的な設定例は図９に示されている。
【００８７】
以上のようにして、各表示装置の中央演算部７０は、設定者が入力した設定内容に従い、小画面表示をすべきか否かの判断を行い、設定変更を行うため、設定者は個別に手動で設定する必要がなく、設定作業が容易になる。そのため、タイムリーな小画面表示設定の変更が簡便に実現できる。
【００８８】
図９は、この発明の実施形態に係るＰＩＰエンラージ設定の一例を示す説明図である。
図９（ａ）はＰＩＰエンラージ設定の一例を表す説明図である。図９（ａ）の例で、ＰＩＰエンラージ表示の有効・無効設定を表すＭＯＤＥ（ＥｎｌＥｎａｂｌｅ）が「有効（ＴＲＵＥ）」に設定されている。また小画面のサイズ設定として、小画面を構成する横方向の台数を表す横幅（ＰｉｐＨＬｅｎ）が「２」、小画面を構成する縦方向の台数を表す縦幅（ＰｉｐＶＬｅｎ）が「２」に設定されている。さらに小画面の位置設定として、小画面の左上隅の横位置（ＰｉｐＨＰｏｓ）が「２」、小画面の左上隅の縦位置（ＰｉｐＶＰｏｓ）が「２」に設定されている。上記設定は、図４において、縦横の幅が横に２台、縦に２台の全４台（ＤＰ６、ＤＰ７、ＤＰ１０、ＤＰ１１）から構成される小画面を指定するものである。
【００８９】
図９（ｂ）は、図９（ａ）のＰＩＰエンラージ設定に基づき、図３の大画面設定から変更された各表示装置の設定内容（ＥｎＳＴ）を表す説明図である。図９（ｂ）において、中央部の全４台（ＤＰ６、ＤＰ７、ＤＰ１０、ＤＰ１１）から構成される小画面の設定内容が図３の大画面のエンラージ設定（ＥｎＳ）から変更されている。
一方、ＭＯＤＥ（ＥｎｌＥｎａｂｌｅ）コマンドが無効（ＦＡＬＳＥ）の場合（ステップＳ１５の判定がＹｅｓ）は、各表示装置のエンラージ設定（ＥｎＳＴ）は、図３の前提状態で示したエンラージ設定（ＥｎＳ）と同じになり、エンラージ設定が維持される。
【００９０】
図１０は、この発明の実施形態に係る小画面設定の一例を示す説明図である。１６面の表示装置全体で一つの表示信号をエンラージ表示した状態１において、図１０（Ｃ）に示すようなエンラージ設定（ＰＩＰ設定：「する」、小画面サイズ：「横２、縦２」、小画面位置（小画面表示の左上隅の画面を起点とする）「横２、縦２」、入力「入力３」と指定）を行うと、表示装置全体に表示されたのと別の表示信号を中央の４画面（ＤＰ６、ＤＰ７、ＤＰ１０、ＤＰ１１）に小画面表示した状態２（図１０（Ｂ））に自動的に変更される。また、状態２において、（Ｄ）のように設定（ＰＩＰ設定：「しない」）すると、状態２から状態１（図１０（Ａ））に自動的に変更される。
【００９１】
また、図１０（Ｃ）のように設定し、小画面表示した場合は、その位置とサイズで指定された表示装置の内部の額縁部（ただし、中央の４画面からなる小画面と大画面との境界に係る額縁を除く）についてのみ額縁補正することで、大画面での額縁補正と同様の処理で、効率のよい額縁補正が可能になる。
【００９２】
このように、簡便な設定により、小画面表示をすべきか否か、小画面全体にエンラージ表示すべき映像のタイムリーな変更が可能となる。また、大画面全体にエンラージ表示すべき「Ｉｎｐｕｔ１」と小画面全体にエンラージ表示すべき「Ｉｎｐｕｔ２」は、同じ映像であってもよい。
【００９３】
なお、これらの設定方法は一例であって、上記方法の変形や組み合わせもこの発明に属する。同様の処理により、複数の小画面を大画面に表示させてもよい。大画面中に小画面を表示するピクチャー・イン・ピクチャー（ＰＩＰ：Picture in Picture）表示だけでなく、大画面を２つの小画面に分割表示するピクチャー・バイ・ピクチャー（ＰｂｙＰ：Picture by Picture）表示など、用途に応じた多様な表示方式が可能となる。
【００９４】
次に、図１０（Ａ）（Ｂ）の各状態の詳細な設定について説明する。
図１１は、図１０（Ａ）の状態１の設定を示す説明図である。図１１（Ａ）は表示信号の一例（表示信号１）を、図１１（Ｂ）は図１１（Ａ）の表示信号１を１６面の表示装置から構成される大画面にエンラージ表示した例をそれぞれ示す。図１１（Ｂ）の例において、縦４台×横４台（４×４）の１６面の表示装置（ＤＰ１からＤＰ１６）から構成される大画面を想定している。
【００９５】
ここで、図１１（Ａ）のような表示信号１を図１１（Ｂ）のように４×４の１６面から構成される大画面にエンラージ表示する場合、大画面中の各表示装置の縦横の位置情報を外部記憶手段１００に保持する。例えば、ＤＰ１の表示装置には４×４の(１、１)の位置、ＤＰ１６の表示装置には４×４の(４、４)の位置という具合である。各表示装置はこれらの設置情報をもとに、図１１（Ａ）の表示信号１を４×４に１６分割した各部分を拡大し、対応する表示装置に表示することによって大画面のエンラージ表示処理を行う。
次に、図１１（Ａ）の大画面表示された状態から、小画面表示する詳細な設定について説明する。
【００９６】
図１２は、図１０（Ｂ）の状態２の設定を示す説明図である。図１２（Ａ）は表示信号の一例（表示信号２）を、図１２（Ｂ）は、図１１（Ｂ）の表示状態から、図１２（Ａ）の表示信号２を中央の４画面（ＤＰ６、ＤＰ７、ＤＰ１０、ＤＰ１１）にエンラージ表示した例をそれぞれ示す。図１１（Ｂ）の状態から、図１２（Ａ）のような表示信号２を中央の４画面（ＤＰ６、ＤＰ７、ＤＰ１０、ＤＰ１１）にエンラージ表示する場合を考える。このとき、これら４台の設置情報を、２×２の（１、１）［ＤＰ６］、２×２の（１、２）［ＤＰ７］、２×２の（２、１）［ＤＰ１０］、２×２の（２、２）［ＤＰ１１］へと変更する。
【００９７】
具体的には、図１１の設定により外部記憶手段１００に保持された各表示装置の位置および新たに受信した小画面設定の配置に基づいて、各表示装置の中央演算部７０が、表示信号１、表示信号２のうちいずれを表示させ、かつどの部分を表示させるかを決定する。その結果、図１２（Ｂ）のように表示される。なお、図１１（Ｂ）のエンラージ表示と、図１２（Ｂ）のエンラージ表示を切り替えて表示する場合、図１１（Ａ）の映像信号１を入力１に、図１２（Ａ）の映像信号２を入力２に、という具合に別々の入力端子に入力した上で、中央の４画面の設定を入力とともに変更する。
【００９８】
このように、小画面表示の有無、小画面の縦横の位置およびサイズ、入力すべき映像信号といった簡単な数値設定をするだけで、画面単位での小画面表示を実現することができる。さらに、これらの設定に基づいて各表示装置が小画面表示をすべきか否か判断するため、従来のように表示装置ごとに設定を行う必要がなく、簡単に小画面表示の設定ができる。
【００９９】
前述した実施の形態の他にも、この発明について種々の変形例がありうる。実施例では大画面に１つの小画面を表示するピクチャー・イン・ピクチャー表示を例としてあげたが、大画面に複数の小画面を同時表示する場合や大画面を小画面に分割するピクチャー・バイ・ピクチャー表示の場合も同様である。それらの変形例は、この発明の範囲に属さないと解されるべきものではない。この発明には、請求の範囲と均等の意味および前記請求の範囲内のすべての変形とが含まれるべきである。
【０１００】
≪額縁補正がある場合のＰＩＰエンラージ設定の具体例≫
最後に、図１１から図１６を用いて、額縁補正がある場合のエンラージ設定について説明する。表示装置の周囲に一定幅の額縁部が存在する場合、映像信号をエンラージ表示すると、その額縁部の垂直方向に表示のズレが生じ、全体として不自然な映像になる。そこで、水平方向および垂直方向の額縁幅を考慮して、各表示装置の表示のズレを補正することで、画面間の表示のズレを解消し、表示を大画面上でスムーズに見せる手法が提案されている（例えば、特許文献４参照）。
【０１０１】
図１１（Ｂ）において、各表示装置の周囲に黒の太線で表された一定幅の額縁部が存在するが、ＤＰ１の場合であれば右側と下側に額縁補正が必要であり、ＤＰ６の場合は上下左右の額縁補正が必要となる。このように、額縁補正が必要かどうかについても、設定者が表示装置ごとに個別に手動設定する必要なく、各表示装置の中央演算部７０が、上記の設置情報をもとに判断することが可能となる。
【０１０２】
図１２（Ｂ）においては、中央の４画面（ＤＰ６、ＤＰ７、ＤＰ１０、ＤＰ１１）の内部の額縁（ただし、小画面と、大画面との境界に係る額縁を除く）についてのみ額縁補正する。具体的には、ＤＰ６とＤＰ７、ＤＰ６とＤＰ１０、ＤＰ７とＤＰ１１、ＤＰ１０とＤＰ１１の境界をなす額縁部についてのみ額縁補正を行うだけでよい。このように処理することにより、効率のよい額縁補正が可能となる。
【０１０３】
この発明の構成例に係る額縁補正部は、スケーリング処理部４０、中央演算部７０、外部記憶手段１００、一時記憶手段１１０、表示処理部１２０から構成される。
図１３は、出力表示装置に額縁がある場合の２×２のエンラージ処理例を示す説明図である。図１３（Ａ）は、出力表示装置の額縁部を考慮して入力映像から２×２の４つの領域を切り出す処理を示す。次に、切り出された各領域をエンラージし、出力表示装置に表示する。図１３（Ｂ）は、エンラージされた各領域を出力表示装置に表示し、２×２のマルチディスプレイを構成する例を示す。
【０１０４】
図１４は、映像信号の額縁補正の一例を示す説明図である。（Ａ）は入力信号の解像度の設定の一例を示す説明図である。（Ｂ）は額縁補正がある場合の入力信号の処理の一例を示す説明図である。入力信号の解像度は、図１４（Ａ）のように、水平解像度（ＩｎＨＲｅｓ）および垂直解像度（ＩｎＶＲｅｓ）で設定される。
【０１０５】
図１４（Ｂ）において、ＣｕｔＨＰｏｓおよびＣｕｔＶＰｏｓは、それぞれ横および縦の入力信号切り出し位置を示す変数である。ＣｕｔＨＲｅｓは切り出し水平解像度を、ＣｕｔＶＲｅｓは切り出し垂直解像度を示す。また、額縁幅相当解像度の２倍を確保しておく。
【０１０６】
図１５は、表示装置に出力する出力画面設定の一例を示す説明図である。１５（Ａ）は額縁補正がある場合の出力画面の設定の一例を示す説明図である。１５（Ｂ）は総出力解像度の設定の一例を示す説明図である。総出力解像度を、水平解像度（ＯｕｔＴＨＲｅｓ）、垂直解像度（ＯｕｔＴＶＲｅＳ）と設定する。
【０１０７】
このようにして、額縁部分がある場合も、各表示装置の中央演算部７０は、あらかじめ入力された情報に基づき、額縁補正を考慮したエンラージ表示の設定を行う。
【０１０８】
図１６は、この発明において、中央演算部７０が額縁補正する手順の例を示すフローチャートである。図１６のフローチャートに沿って額縁補正がある場合のエンラージ処理の詳細な流れを説明する。ステップＳ２５のエンラージ処理が行われた後、中央演算部７０は、映像信号処理部２０より入力信号の水平解像度（ＩｎＨＲｅｓ）を取得する（ステップＳ２６）。続いて、総出力水平解像度（ＯｕｔＴＨＲｅｓ）の計算を行う（ステップＳ２７）。総出力水平解像度（ＯｕｔＴＨＲｅｓ）は、エンラージ設定の横設置台数（ＥｎＳＨＴ）、出力画面の水平解像度（ＰａｎｅＳＨ）、水平額縁幅（ＰａｎｅＳＢｚＨ）を用いて、次の（３）式のように表される。
【０１０９】
ＯｕｔＴＨＲｅｓ＝ＥｎＳＨＴ×ＰａｎｅＳＨ＋ＰａｎｅＳＢｚＨ×（ＥｎＳＨＴ−１）×２        （３）
次に、切り出し水平解像度（ＣｕｔＨＲｅｓ）の計算を行う（ステップＳ２８）。切り出し水平解像度（ＣｕｔＨＲｅｓ）は、入力信号の水平解像度（ＩｎＨＲｅｓ）、出力画面の水平解像度（ＰａｎｅＳＨ）、総出力解像度の水平解像度（ＯｕｔＴＨＲｅｓ）を用いて、次の（４）式のように表される。
【０１１０】
ＣｕｔＨＲｅｓ＝ＩｎＨＲｅｓ×（ＰａｎｅＳＨ／ＯｕｔＴＨＲｅｓ）    （４）
続いて、額縁幅相当解像度（ＢｅｚｅＨ）の計算を行う（ステップＳ２９）。額縁幅相当解像度（ＢｅｚｅＨ）は、入力信号の水平解像度（ＩｎＨＲｅｓ）、出力画面の水平額縁幅（ＰａｎｅＳＢｚＨ）、総出力解像度の水平解像度（ＯｕｔＴＨＲｅｓ）を用いて、次の（５）式のように表される。
【０１１１】
ＢｅｚｅＨ＝ＩｎＨＲｅｓ×（ＰａｎｅＳＢｚＨ／ＯｕｔＴＨＲｅｓ）    （５）
次に、切り出し水平位置（ＣｕｔＨＰｏｓ）の計算を行う（ステップＳ３０）。切り出し水平位置（ＣｕｔＨＰｏｓ）は、入力信号の切り出し水平解像度（ＣｕｔＨＲｅｓ）、エンラージ設定の横位置（ＥｎＳＨＰｏｓＴ）、額縁幅相当解像度（ＢｅｚｅＨ）を用いて、次の（６）式のように表される。
【０１１２】
ＣｕｔＨＰｏｓ＝ＣｕｔＨＲｅｓ×（ＥｎＳＨＰｏｓＴ−１）＋ＢｅｚｅＨ×（ＥｎＳＨＰｏｓＴ−１）×２        （６）
水平解像度の計算に続いて、中央演算部７０は、映像信号処理部２０より入力信号の垂直解像度（ＩｎＶＲｅｓ）を取得する（ステップＳ３０）。以下のステップでは、水平解像度の計算（ステップＳ２７からＳ３０）と同様に、垂直解像度の計算を行う（ステップＳ３２からＳ３５）。
【０１１３】
続くステップＳ３２では、総出力垂直解像度（ＯｕｔＴＶＲｅｓ）の計算を行う。総出力垂直解像度（ＯｕｔＴＶＲｅｓ）は、エンラージ設定の縦設置台数（ＥｎＳＶＴ）、出力画面の垂直解像度（ＰａｎｅＳＶ）、垂直額縁幅（ＰａｎｅＳＢｚＶ）を用いて、次の（７）式のように表される。
【０１１４】
ＯｕｔＴＶＲｅｓ＝ＥｎＳＶＴ×ＰａｎｅＳＶ＋ＰａｎｅＳＢｚＶ×（ＥｎＳＶＴ−１）×２        （７）
次に、切り出し垂直解像度（ＣｕｔＶＲｅｓ）の計算を行う（ステップＳ３３）。切り出し垂直解像度（ＣｕｔＶＲｅｓ）は、入力信号の垂直解像度（ＩｎＶＲｅｓ）、出力画面の垂直解像度（ＰａｎｅＳＶ）、総出力解像度の垂直解像度（ＯｕｔＴＶＲｅｓ）を用いて、次の（８）式のように表される。
【０１１５】
ＣｕｔＶＲｅｓ＝ＩｎＶＲｅｓ×（ＰａｎｅＳＶ／ＯｕｔＴＶＲｅｓ）    （８）
続いて、額縁幅相当解像度（ＢｅｚｅＶ）の計算を行う（ステップＳ３４）。額縁幅相当解像度（ＢｅｚｅＶ）は、入力信号の垂直解像度（ＩｎＶＲｅｓ）、出力画面の垂直額縁幅（ＰａｎｅＳＢｚＶ）、総出力解像度の垂直解像度（ＯｕｔＴＶＲｅｓ）を用いて、次の（９）式のように表される。
【０１１６】
ＢｅｚｅＶ＝ＩｎＶＲｅｓ×（ＰａｎｅＳＢｚＶ／ＯｕｔＴＶＲｅｓ）    （９）
次に、切り出し垂直位置（ＣｕｔＶＰｏｓ）の計算を行う（ステップＳ３５）。切り出し垂直位置（ＣｕｔＶＰｏｓ）は、入力信号の切り出し垂直解像度（ＣｕｔＶＲｅｓ）、エンラージ設定の縦位置（ＥｎＳＶＰｏｓＴ）、額縁幅相当解像度（ＢｅｚｅＶ）を用いて、次の（１０）式のように表される。
【０１１７】
ＣｕｔＶＰｏｓ＝ＣｕｔＶＲｅｓ×（ＥｎＳＶＰｏｓＴ−１）＋ＢｅｚｅＶ×（ＥｎＳＶＰｏｓＴ−１）×２        （１０）
続いて、スケーリング処理部４０に対する設定を行う。即ち、入力信号の切り出し水平位置（ＣｕｔＨＰｏｓ）、切り出し垂直位置（ＣｕｔＶＰｏｓ）から切り出し水平解像度（ＣｕｔＨＲｅｓ）の横幅、切り出し垂直解像度（ＣｕｔＶＲｅｓ）の縦幅を、出力画面の水平解像度（ＩｎＨＲｅｓ）、垂直解像度（ＩｎＶＲｅｓ）にスケーリングするように設定する（ステップＳ３６）。
【０１１８】
最後に、スケーリング処理部４０の処理結果を表示用デバイス１３０に出力するように表示処理部１２０に設定して（ステップＳ３７）、処理を終了する。
前述した実施の形態の他にも、種々の変形例がありうる。実施例では出力画面を大画面とした場合は、大画面の額縁補正の設定例となるが、出力画面を小画面とした場合は、ピクチャー・イン・ピクチャー表示やピクチャー・バイ・ピクチャー表示における小画面の額縁補正の設定例となる。出力画面として、小画面が同時に複数表示される場合も同様である。それらの変形例は、この発明の範囲に属さないと解されるべきものではない。この発明には、請求の範囲と均等の意味および前記請求の範囲内のすべての変形とが含まれるべきである。
【産業上の利用可能性】
【０１１９】
本発明によるマルチディスプレイ用表示装置は、小画面を表示する、しないの切換が容易に実現でき、設定が容易となる。そのため、小画面の設定を簡単かつタイムリーに変更でき、駅や空港などの交通機関や病院などでの案内表示、コントロールルームにおける情報提示、デパートやショップなどでの広告表示など、小画面による複数コンテンツのタイムリーな表示により、多様で変化に富んだ効果的な情報提供が可能となる。
【符号の説明】
【０１２０】
９：表示装置
１０：映像入力端子
２０：映像信号処理部
３０：映像信号出力処理部
４０：スケーリング処理部
５０：内部パターン制御部
６０：シリアル通信処理部
７０：中央演算部
８０：ＩＲ信号処理部
９０：内部記憶手段
９１：一時使用データ
１００：外部記憶手段
１０１：固定データ
１０２：変更可能データ
１１０：一時記憶手段
１２０：表示処理部
１３０：表示用デバイス
１４０：ＩＲ信号送信装置
【図１】
2011248225.tif 000003
【図３】
2011248225.tif 000004
【図６】
2011248225.tif 000005
【図７】
2011248225.tif 000006
【図８】
2011248225.tif 000007
【図９】
2011248225.tif 000008
【図１６】
2011248225.tif 000009
【図２】
2011248225.tif 000010
【図４】
2011248225.tif 000011
【図５】
2011248225.tif 000012
【図１０】
2011248225.tif 000013
【図１１】
2011248225.tif 000014
【図１２】
2011248225.tif 000015
【図１３】
2011248225.tif 000016
【図１４】
2011248225.tif 000017
【図１５】
2011248225.tif 000018